(57)【特許請求の範囲】
【請求項１】
収容部と、
自由端となる一方端部、回動支点が設けられた他方端部及び前記一方端部と前記他方端部の間に位置する曲がり部を有する棒状の部材であり、不使用時は前記他方端部で吊り下げられた状態で前記収容部に収められ、使用時は前記他方端部の前記回動支点で回動させて前記収容部から取り出される把手と、を備え、
前記把手が前記使用時において、前記把手の前記一方端部側が略水平状態に支持されるように、かつ、前記把手が前記不使用時に前記収容部に収められた状態において、前記把手に応力が加えられていない場合、前記一方端部が前記収容部の外部に出るように、前記把手は前記曲がり部で曲げられている、把手を有する物品。
【請求項２】
収容部と、
自由端となる一方端部、回動支点が設けられた他方端部及び前記一方端部と前記他方端部の間に位置する曲がり部を有しており、不使用時は前記他方端部で吊り下げられた状態で前記収容部に収められ、使用時は前記他方端部の前記回動支点で回動させて前記収容部から取り出される把手と、を備え、
前記把手が前記不使用時に前記収容部に収められた状態において、前記把手に応力が加えられていない場合、前記一方端部が前記収容部の外部に出るように、前記把手は前記曲がり部で曲げられており、
さらに、
前記収容部より外側であって前記収容部の上方に位置する物品の筐体を備え、
前記把手が前記使用時に前記収容部から取り出された状態において、前記把手と前記筐体との間で指が挟まらない大きさの隙間が形成されるように、前記把手は前記曲がり部で曲げられている、把手を有する物品。
【請求項３】
前記収容部を覆う開閉可能な把手カバーを備え、
前記把手カバーを閉めると、前記収容部の外部に出ている前記一方端部が前記把手カバーに押されることにより、前記把手が前記他方端部の前記回動支点で回動して、前記一方端部が前記収容部に収容される請求項１又は２に記載の把手を有する物品。
【請求項４】
前記物品は、画像データに基づいて用紙に画像形成動作をする画像形成部を備える画像形成装置である請求項１〜３のいずれか一項に記載の把手を有する物品。
【発明の詳細な説明】
【技術分野】
【０００１】
本発明は把手に関し、例えば画像形成装置に取り付けられる把手に関する。
【背景技術】
【０００２】
画像形成装置には運搬や移動のために把手が設けられている。例えば、支点ピンで回動自在に支持された上端部を有する把手部材及びそれを収容する収容部を備え、把手部材を使用しないときは、把手部材が鉛直方向に沿って静止した状態で収容部に収容され、把手部材を使用するときは、支点ピンを中心に把手部材を回動させて収容部から取り出す技術が提案されている(例えば、特許文献１参照)。
【先行技術文献】
【特許文献】
【０００３】
【特許文献１】特開２００７−１３３１３０号公報
【発明の概要】
【発明が解決しようとする課題】
【０００４】
画像形成装置は構造上の理由から筐体に段差が形成される場合がある。例えば、画像形成装置の側面において、筐体が上部カバーと下部カバーとに分離され、ジャム処理のために上部カバーが画像形成装置から引き出し可能に構成されていることがある。引き出し機構を取り付けるために、上部カバーは所定の厚みを有し、その分だけ、上部カバーが下部カバーより外側に位置することで、段差が形成されるのである。
【０００５】
画像形成装置を持ち上げやすくするために、把手は画像形成装置の下側に取り付けられるので、上記の例では、下部カバーの箇所に把手が設けられる。この場合、把手を使用するために把手を回動させて収容部から取り出した際に、把手と上部カバーとの間に指が挟まらないようにしなければならない。
【０００６】
また、把手を使用するときは、把手の下端部に指をかけて支点ピンを中心に把手を回動させて把手を収容部から取り出している。収容部と把手との隙間が小さいと把手に指がかかりにくく、把手をうまく取り出せない。画像形成装置のコンパクト化の要請から収容部を可能な限り小さくする必要があるので、収容部と把手との隙間を大きくすることは、できるだけ避けなければならない。
【０００７】
本発明の目的は、把手を使用する場合に把手を回動させて収容部から取り出す構成において、把手と収容部との隙間が小さくても、把手を収容部から円滑に取り出すことができる、把手を有する物品を提供することである。  
【課題を解決するための手段】
【０００８】
上記目的を達成する本発明に係る把手を有する物品は、収容部と、自由端となる一方端部、回動支点が設けられた他方端部及び前記一方端部と前記他方端部の間に位置する曲がり部を有しており、不使用時は前記他方端部で吊り下げられた状態で前記収容部に収められ、使用時は前記他方端部の前記回動支点で回動させて前記収容部から取り出される把手と、を備え、前記把手が前記不使用時に前記収容部に収められた状態において、前記把手に応力が加えられていない場合、前記一方端部が前記収容部の外部に出るように、前記把手は前記曲がり部で曲げられている。
【０００９】
本発明に係る把手を有する物品において、把手は曲がり部を有する。この曲がり部によって、把手が不使用時に収容部に収められた状態において、把手に応力が加えられていない場合、一方端部が収容部の外部に出るようにされている。これにより、把手を収容部から取り出す際に一方端部に指をかけるのが容易となる。従って、把手を使用する場合に把手を回動させて収容部から取り出す構成において、把手と収容部との隙間が小さくても、把手を収容部から円滑に取り出すことができる。
【００１０】
上記構成において、前記収容部より外側であって前記収容部の上方に位置する筐体を備え、前記把手が前記使用時に前記収容部から取り出された状態において、前記把手と前記筐体との間で指が挟まらない大きさの隙間が形成されるように、前記把手は前記曲がり部で曲げられている。
【００１１】
この構成によれば、曲がり部によって、把手が使用時に収容部から取り出された状態において、把手と筐体との間で指が挟まらない大きさの隙間が形成されるようにしている。従って、把手を使用する場合に把手を回動させて収容部から取り出す構成において、収容部より外側であって収容部より上方に筐体が位置する場合に、把手と筐体との間に指が挟まらないようにすることができる。
【００１２】
上記構成において、前記収容部を覆う開閉可能な把手カバーを備え、前記把手カバーを閉めると、前記収容部の外部に出ている前記一方端部が前記把手カバーに押されることにより、前記把手が前記他方端部の前記回動支点で回動して、前記一方端部が前記収容部に収容される。
【００１３】
この構成によれば、把手を使用しないときは、把手カバーを閉めることにより、把手の一方端部を収容部に収容することができる。
【００１４】
上記構成において、前記物品は、画像データに基づいて用紙に画像形成動作をする画像形成部を備える画像形成装置である。
【００１５】
この構成によれば、上述した本発明に係る把手を有する物品と同様の作用を有する。
本発明の一局面に係る把手を有する物品は、収容部と、自由端となる一方端部、回動支点が設けられた他方端部及び前記一方端部と前記他方端部の間に位置する曲がり部を有する棒状の部材であり、不使用時は前記他方端部で吊り下げられた状態で前記収容部に収められ、使用時は前記他方端部の前記回動支点で回動させて前記収容部から取り出される把手と、を備え、前記把手が前記使用時において、前記把手の前記一方端部側が略水平状態に支持されるように、かつ、前記把手が前記不使用時に前記収容部に収められた状態において、前記把手に応力が加えられていない場合、前記一方端部が前記収容部の外部に出るように、前記把手は前記曲がり部で曲げられている。
本発明の他の局面に係る把手を有する物品は、収容部と、自由端となる一方端部、回動支点が設けられた他方端部及び前記一方端部と前記他方端部の間に位置する曲がり部を有しており、不使用時は前記他方端部で吊り下げられた状態で前記収容部に収められ、使用時は前記他方端部の前記回動支点で回動させて前記収容部から取り出される把手と、を備え、前記把手が前記不使用時に前記収容部に収められた状態において、前記把手に応力が加えられていない場合、前記一方端部が前記収容部の外部に出るように、前記把手は前記曲がり部で曲げられており、さらに、前記収容部より外側であって前記収容部の上方に位置する物品の筐体を備え、前記把手が前記使用時に前記収容部から取り出された状態において、前記把手と前記筐体との間で指が挟まらない大きさの隙間が形成されるように、前記把手は前記曲がり部で曲げられている。
【発明の効果】
【００１６】
本発明によれば、把手を使用する場合に把手を回動させて収容部から取り出す構成において、把手と収容部との隙間が小さくても、把手を収容部から円滑に取り出すことができる。
【図面の簡単な説明】
【００１７】
【図１】本実施形態に係る画像形成装置の全体を示す斜視図である。
【図２】把手カバーを閉じた状態の装置本体の下部の角部の拡大図である。
【図３】把手カバーを開けて、把手を取り出し状態の装置本体の下部の角部の拡大図である。
【図４】把手カバーを開けて、把手を取り出し状態の装置本体の正面図である。
【図５】図３に示す把手を装置本体の正面から見た図である。
【図６】収容部付近の装置本体のフレームを示す斜視図である。
【図７】収容部を上方からみた断面図である。
【図８】把手を収容部に収容した状態で、一方端部が収容部の外部に出る仕組みを説明する図である。
【図９】把手カバーを閉じた場合において、収容部に収容された把手の状態を示す図である。
【図１０】把手カバーを開けた場合において、収容部に収容された把手の状態を示す図である。
【図１１】収容部から把手を取り出した状態を示す図である。
【図１２】把手の切欠部がフレームに嵌めこまれた状態を示す拡大図である。
【発明を実施するための形態】
【００１８】
以下、図面に基づいて本発明の実施形態を詳細に説明する。図１は本発明の一実施形態に係る画像形成装置１の全体を示す斜視図である。画像形成装置１は例えば、コピー、プリンター、スキャナー及びファクシミリの機能を有するデジタル複合機に適用することができる。画像形成装置１は装置本体１００、装置本体１００の上に配置された原稿読取部２００及び装置本体１００の上部前面に配置された操作部３００を備える。
【００１９】
原稿読取部２００は露光ランプ等を搭載したキャリッジ(不図示)、ガラス等の透明部材からなる原稿台２０１及びＣＣＤ(Charge Coupled Device)センサー(不図示)等により構成される。ＣＣＤセンサーは読み取った原稿を画像データとして出力する。
【００２０】
装置本体１００は用紙カセット１０１及び画像形成部１０３等を備える。用紙カセット１０１は装置本体１００の最下部に配置されており、本実施形態では二段の用紙カセット１０１ａ，１０１ｂを備える。用紙カセット１０１は用紙の束を貯留することができ、最上位の用紙がピックアップローラの駆動により、用紙搬送路を通って、画像形成部１０３へ搬送される。
【００２１】
画像形成部１０３は感光体ドラム、露光部、現像部及び転写部等(不図示)を備えており、搬送されてきた用紙に静電潜像技術を用いてトナー画像を形成する。トナー画像が転写された用紙は定着部(不図示)に送られる。定着部において、トナー画像と用紙に熱と圧力が加えられて、トナー画像は用紙に定着された後、用紙は用紙排出部１０５に排紙される。
【００２２】
操作部３００は操作キー部３０１と表示部３０３を備える。表示部３０３はタッチパネル機能を有しており、ソフトキーを含む画面が表示される。ユーザは画面を見ながらソフトキーを操作することによって、コピー等の機能の実行に必要な設定等をする。
【００２３】
操作キー部３０１にはハードキーからなる操作キーが設けられている。具体的にはスタートキー、テンキー、ストップキー、リセットキー、コピー、プリンター、スキャナー及びファクシミリを切り換えるための機能切換キー等が設けられている。
【００２４】
装置本体１００の筐体は前面カバー１０７、右側面カバー１０９及び背面カバー(不図示)を含む。前面カバー１０７及び右側面カバー１０９について説明する。
【００２５】
前面カバー１０７は用紙カセット１０１の上であって、装置本体１００に対して開閉可能に設けれ、装置本体１００の正面部を覆うカバーである。画像形成装置１には装置本体１００に対して着脱可能に装着されるいくつかのユニット(例えば、トナーカートリッジ、感光体ドラムユニット、現像ローラユニット等)がある。これらのユニットの装着箇所は前面カバー１０７で覆われており、ユニットを交換する場合、前面カバー１０７を開けて交換をする。
【００２６】
右側面カバー１０９は上部カバー１０９ａと下部カバー１０９ｂとにより構成される。上部カバー１０９ａには手差しトレイ１１１が設けられている。また、上部カバー１０９ａは装置本体１００の正面からみて、装置本体１００に対して左から右に向けて引き出すことができる。装置本体１００でジャムが発生した場合、上部カバー１０９ａを引き出すことにより、詰まった用紙を取り除くことができる。引き出し機構を取り付けるために、上部カバー１０９ａは所定の厚みを有し、その分だけ、上部カバー１０９ａが下部カバー１０９ｂより外側に位置している。これにより、上部カバー１０９ａと下部カバー１０９ｂとの境界に段差が形成されている。
【００２７】
下部カバー１０９ｂはその上端が用紙カセット１０１ａの上端と同じ高さに位置している。下部カバー１０９ｂのうち、装置本体１００の前面側の側部に把手カバー１１が設けられている。
【００２８】
装置本体１００に設けられた把手について説明する。図２及び図３は装置本体１００の下部の角部の拡大図であり、図２は把手カバー１１を閉じた状態、図３は把手カバー１１を開けて、把手１３を取り出し状態を示している。図４は把手カバー１１を開けて、把手１３を取り出し状態の装置本体１００の正面図である。
【００２９】
把手カバー１１は左開き可能に下部カバー１０９ｂに取り付けられている。図３及び図４に示すように、金属性の把手１３にはその一方端部１３ａに樹脂キャップ１７が嵌められている。
【００３０】
把手１３を使用する場合、把手カバー１１を開ける。これにより、把手１３及びこれが収容されている収容部１５が現れる。把手カバー１１の下端には係合突起１１ａが形成されている。把手カバー１１を閉じると、係合突起１１ａが収容部１５の開口部１５ａを規定する枠と係合して、把手カバー１１が開かないようにしている。
【００３１】
上部カバー１０９ａは収容部１５より外側であって、収容部１５の上方に位置する筐体の一例である。把手１３の一方端部１３ａ(樹脂キャップ１７)に指をかけて、一方端部１３ａを手前に引いて把手１３を回動させると、把手１３を収容部１５から取り出すことができる。把手１３は後で説明する保持機構によって水平方向に保持される。
【００３２】
把手１３の使用が終わると、把手１３を下に向けて押して把手１３を回動させ、収容部１５に把手１３を収容し、図２に示すように把手カバー１１を閉じる。把手カバー１１を閉じることにより、収容部１５が把手カバー１１で覆われる。    
【００３３】
把手１３の構造について図３及び図５を用いて説明する。図５は図３に示す把手１３を装置本体１００の正面から見た図である。把手１３はその断面が凹形状となるように板金を折り曲げて製作される棒状の部材である。把手１３は一方端部１３ａと他方端部１３ｂを有する。
【００３４】
他方端部１３ｂには貫通穴部１９が形成されている。貫通穴部１９には把手１３を回動自在に支持するためのピン(回動支点)が通される。他方端部１３ｂに回動支点が設けられる。
【００３５】
他方端部１３ｂの上部には切欠部２１が形成されている。後で説明するように、把手１３を収容部１５から取り出して、切欠部２１を装置本体１００のフレームに嵌め込むことにより、把手１３は水平状態に保持される。
【００３６】
一方端部１３ａは自由端となる。一方端部１３ａの端面に樹脂キャップ１７が嵌めこまれる。図５は樹脂キャップ１７を取り外した状態を示している。
【００３７】
把手１３は一方端部１３ａと他方端部１３ｂの間に位置する曲がり部１３ｃを有する。曲がり部１３ｃによって、把手１３の使用時に把手１３と上部カバー１０９ａ(筐体)との間で指が挟まらない大きさの隙間が形成されるようにしている。また、曲がり部１３ｃによって、把手１３の不使用時に収容部１５に収められた状態において、把手１３に応力が加えられていない場合、一方端部１３ａが収容部１５の外部に出るようにしている。
【００３８】
把手１３が収容部１５に収容された状態を図６及び図７を用いて説明する。図６は収容部１５付近の装置本体１００のフレーム１１３を示す斜視図である。図７は収容部１５を上方からみた断面図である。
【００３９】
収容部１５において、フレーム１１３は折り曲げ部１１３ａで折り曲げられてＬ型にされている。折り曲げ部１１３ａには収容部１５の開口部１５ａとなる打ち抜き穴が形成されている。フレーム１１３のＬ型の部分と折り曲げ板１１５とにより、収納部１５を形成する壁部が形成されている。この壁部の上部には把手１３の貫通穴部１９を通るピン２３が固定されている。これにより、把手１３はピン２３で吊り下げられた状態で収容部１５に収容される。また、把手１３はピン２３(回動支点)を中心に回動することができる。
【００４０】
上述したように、把手１３は収容部１５に収められた状態において、把手１３に把手カバー１１による応力が加えられていない場合、一方端部１３ａが収容部１５の外部に出るように曲げられている。図８はこの仕組みを説明する図である。
【００４１】
線Ｌはピン２３を通る鉛直方向の線である。線Ｌ上に把手１３の重心Ｇがある。把手１３は収容部１５で吊り下げられた状態において、他方端部１３ｂから収容部１５の奥に向けて下方向に延びており、曲がり部１３ｃで開口部１５ａに向けて下方向に延びて、一方端部１３ａに至る。
【００４２】
線Ｌから開口部１５ａまでの距離Ｄ１(言い換えれば、ピン２３から開口部１５ａまでの距離)に比べて、線Ｌから一方端部１３ａまでの距離Ｄ２が大きくなるように、曲がり部１３ｃの角度とピン２３の位置を調整することにより、一方端部１３ａが収容部１５の外部に出るようにすることができる。
【００４３】
把手１３を収容部１５から取り出す際の把手１３の状態について、図９〜図１１を用いて説明する。図９は把手カバー１１を閉じた場合において、収容部１５に収容された把手１３の状態を示す図である。図１０は把手カバー１１を開けた場合において、収容部１５に収容された把手１３の状態を示す図である。図１１は収容部１５から把手１３を取り出した状態を示す図である。
【００４４】
把手１３の他方端部１３ｂには貫通穴部１９が形成されている。上述したように、貫通穴部１９にピン２３を通して、ピン２３を収容部１５の側壁の上部に固定することにより、把手１３は回動自在に収容部１５の側壁で支持される。
【００４５】
図９に示すように、把手１３が収容部１５に収容された状態で、把手カバー１１を閉めると、把手カバー１１が一方端部１３ａを押した状態となる。図３で説明したように、把手カバー１１の係合突起１１ａが、開口部１５ａを規定する枠部と係合することにより、把手カバー１１が一方端部１３ａを押した状態を保持している。
【００４６】
図１０に示すように、把手カバー１１を開けると、把手カバー１１が一方端部１３ａを押した状態が解除される。これにより、把手１３はピン２３を中心に反時計方向に回動し(言い換えれば他方端部１３ｂで反時計方向に回動し)、図８に示す線Ｌ上に把手１３の重心Ｇが位置する。線Ｌから開口部１５ａまでの距離Ｄ１に比べて、線Ｌから一方端部１３ａまでの距離Ｄ２が大きくなるようにされているので、下端部１３ａが収容部１５の外部に出た状態で、把手１３が静止する。図１０は把手１３が不使用時に収容部１５に収められた状態において、把手１３に応力が加えられていない場合を示している。この場合に、一方端部１３ａが収容部１５の外部に出るように、曲がり部１３ｃが曲げられている。
【００４７】
図９及び図１０に示すように、把手１３の不使用時は、把手１３は他方端部１３ｂで吊り下げられた状態で収容部１５に収められ、使用時は他方端部１３ｂで回動させて、言い換えればピン２３を中心に回動させて、収容部１５から取り出される。
【００４８】
一方端部１３ａに指をかけて、一方端部１３ａを引くことにより、把手１３はピン２３を中心にして反時計方向に回動して、図１１に示すように、把手１３が収容部１５から取り出される。把手１３を回動させて、切欠部２１を装置本体１００のフレームの折り曲げ部１１３ａに嵌め込むと、把手１３は水平状態で保持される。上部カバー１０９ａは収容部１５より外側であって、収容部１５の上方に位置する筐体である。
【００４９】
把手１３が水平状態で保持される仕組みについて、図１２を用いて説明する。図１２は切欠部２１がフレームの折り曲げ部１１３ａに嵌めこまれて係止した状態を示す拡大図である。
【００５０】
切欠部２１は対向する側面２１ａと側面２１ｂを含む。側面２１ａは把手１３が水平にされた状態で折り曲げ部１１３ａの内側面１１３ｂと面する。側面２１ｂは把手１３が水平にされた状態で折り曲げ部１１３ａの外側面１１３ｃと面する。側面２１ｂは切欠部２１の底面に対して略垂直な面であり、側面２１ａは切欠部２１の底面に向かうに従って、側面２１ｂとの距離が短くなるように傾斜した面である。これにより、把手１３を回動させて把手１３を水平方向にする際に、切欠部２１が折り曲げ部１１３ａに嵌って、係止するようにしている。
【００５１】
従って、切欠部２１を折り曲げ部１１３ａに嵌めた状態で、把手１３から手を離すと、把手１３の自重により、把手１３は時計方向に回動しようとするが、切欠部２１の側面２１ｂが折り曲げ部１１３ａの外側面１１３ｃと当接しているので、把手１３は二点差線で示す位置で係止される。このため、把手１３の自重だけでは、切欠部２１が折り曲げ部１１３ａから外れないようにすることができる。これにより、把手１３は水平方向で保持される。
【００５２】
把手１３に下方向に力を加えると、切欠部２１と折り曲げ部１１３ａとの係止が外れて、把手１３が自重により時計方向に回動して、収容部１５に収容される。
【００５３】
本実施形態の主な効果を説明する。
【００５４】
本実施形態に係る把手１３を有する画像形成装置１において、図１０に示すように把手１３は曲がり部１３ｃを有する。曲がり部１３ｃによって、把手１３が不使用時に収容部１５に収められた状態において、把手１３に応力が加えられていない場合、一方端部１３ａが収容部１５の外部に出るようにされている。これにより、把手１３を収容部１５から取り出す際に一方端部１３ａに指を掛けるのが容易となる。従って、把手１３を使用する場合に把手１３を回動させて収容部１５から取り出す構成において、把手１３の一方端部１３ａと収容部１５との隙間Ｇ２が小さくても、把手１３を収容部１５から円滑に取り出すことができる。
【００５５】
また、本実施形態によれば、図１１に示すように曲がり部１３ｃによって、把手１３が使用時に収容部１５から取り出された状態において、把手１３と上部カバー１０９ａとの間で指が挟まらない大きさの隙間Ｇ１が形成されるようにしている。従って、本実施形態によれば、把手１３を使用する場合に把手１３を回動させて収容部１５から取り出す構成において、収容部１５より外側であって収容部１５より上方に上部カバー１０９ａが位置する場合に、把手１３と上部カバー１０９ａとの間に指が挟まらないようにすることができる。
【００５６】
さらに、本実施形態によれば、図９に示すように把手カバー１１を閉めると、収容部１５の外部に出ている一方端部１３ａが把手カバー１１に押されることにより、把手１３が他方端部１３ｂで回動して、一方端部１３ａが収容部１５に収容される。従って、把手１３を使用しないときは、把手カバー１１を閉めることにより、把手１３の一方端部１３ａを収容部１５に収容することができる。
【００５７】
本実施形態では把手を有する物品として画像形成装置１の装置本体１００を例に説明した。把手を有する物品はこれに限らず、把手により運搬可能な筐体を有する各種の物品や装置に対して、本発明は適用することができる。
【符号の説明】
【００５８】
１  画像形成装置
１１  把手カバー
１１ａ  係合突起
１３  把手
１３ａ  一方端部
１３ｂ  他方端部
１３ｃ  曲がり部
１５  収容部
１５ａ  開口部
１７  樹脂キャップ
１９  貫通穴部
２１  切欠部
２１ａ  側面
２１ｂ  側面
２３  ピン
１００  装置本体
１０１  用紙貯留部
１０３  画像形成部
１０５  用紙排出部
１０７  前面カバー
１０９  右側面カバー
１０９ａ  上部カバー
１０９ｂ  下部カバー
１１１  手差しトレイ
１１３  フレーム
１１３ａ  折り曲げ部
１１３ｂ  内側面
１１３ｃ  外側面
１１５  折り曲げ板
Ｇ１  把手と上部カバーとの隙間
Ｇ２  把手の一方端部と収容部との隙間
【図１】
0005597573.tif 000002
【図２】
0005597573.tif 000003
【図３】
0005597573.tif 000004
【図４】
0005597573.tif 000005
【図５】
0005597573.tif 000006
【図６】
0005597573.tif 000007
【図７】
0005597573.tif 000008
【図８】
0005597573.tif 000009
【図９】
0005597573.tif 000010
【図１０】
0005597573.tif 000011
【図１１】
0005597573.tif 000012
【図１２】
0005597573.tif 000013